【手続補正書】
【提出日】平成16年6月29日(2004.6.29)
【手続補正１】
【補正対象書類名】特許請求の範囲
【補正対象項目名】全文
【補正方法】変更
【補正の内容】
【特許請求の範囲】
【請求項１】
基板上の光学素子と、
光接合領域を含む外部伝送光導波管と、
光接合領域を含む伝送光導波管とを備えた光学装置において、
前記光学素子及び前記外部伝送光導波管は、それらの間での光電力の伝送を可能とするように、基板上にて光学的に統合され、
前記伝送光導波管及び外部伝送光導波管の少なくとも１つは、それらの間にてそれぞれの光接合領域における光電力のトランスバース伝送を可能とするように適合し、
前記伝送光導波管は、光電力のトランスバース伝送を可能とするようにそれぞれの光接合領域を配置するように、前記基板、前記光学素子、前記外部伝送光導波管と組み合わされていることを特徴とする光学装置。
【請求項２】
光接合領域を含む第２の外部伝送光導波管と、
光接合領域を含む第２の伝送光導波管とを、さらに備え、
前記光学素子及び前記第２の外部伝送光導波管は、光電力の伝送を可能とするように、前記基板上で光学的に統合され、
前記第２の伝送光導波管及び前記第２の外部伝送光導波管の少なくとも１つは、その接合領域にて、それぞれの接合領域における光電力のトランスバース伝送を可能とするように適合し、
前記第２の伝送光導波管は、前記基板、前記光学素子、及び前記第２の外部伝送光導波管の少なくとも１つと、光電力のトランスバース伝送を可能とするようにそれぞれの光接合領域を配置するように、組み合わされ、
前記第１及び第２の伝送光導波管は、ｉ）機械的に独立した部材、ｉｉ）単一の機械的部材の要素、ｉｉｉ）共通の伝送導波基板上に形成された平面光導波管、のうちの１つを含むことを特徴とする請求項１に記載の装置。
【請求項３】
請求項１又は２に記載の装置内に組み入れられる伝送光導波管であって、
基板上に統合された外部伝送光導波管及び光学素子と組み合わされるように適合した部材として提供されることを特徴とする伝送光導波管。
【請求項４】
請求項１又は２に記載の装置内に組み入れられる光学素子及び外部伝送光導波管であって、伝送光導波管と組み合わされるように適合した共通部材として提供されることを特徴とする光学素子及び外部伝送光導波管。
【請求項５】
前記伝送光導波管及び前記外部伝送光導波管の少なくとも１つの光接合領域は、ｉ）モード干渉結合トランスバース伝送、ｉｉ）能動的で実質的にモード屈折率適合したモード干渉結合トランスバース伝送、ｉｉｉ）受動的で実質的にモード屈折率適合したモード干渉結合トランスバース伝送、ｉｖ）実質的に断熱的なトランスバース伝送、ｖ）偏光依存トランスバース伝送、ｖｉ）波長依存トランスバース伝送、のうちの少なくとも１つにより、光電力のトランスバース伝送を可能とするように適合したことを特徴とする請求項１〜４のいずれか１項に記載の装置。
【請求項６】
前記伝送光導波管及び前記外部伝送光導波管の少なくとも１つの前記光接合領域は、光電力の実質的に断熱的なトランスバース伝送を可能とするように適合し、その適合は、ｉ）コア及び低屈折率クラッドであって、コア及びクラッドの少なくとも１つのトランスバース寸法が前記光接合領域の少なくとも一部に沿って軸方向に多様なコア及びクラッド、ｉｉ）コア及び低屈折率クラッドであって、コア及びクラッドの少なくとも１つの屈折率が前記光接合領域の少なくとも一部に沿って軸方向に多様なコア及びクラッド、ｉｉｉ）コア及び低屈折率クラッドであって、コア及びクラッドの少なくとも１つが前記光接合領域の少なくとも一部に沿って傾斜したコア及びクラッド、のうちの少なくとも１つを含むことを特徴とする請求項５に記載の装置。
【請求項７】
前記光学素子及び前記外部伝送光導波管の少なくとも１つは、ｉ）端部伝送、ｉｉ）実質的に空間モード適合した端部伝送、ｉｉｉ）エッチングされた素子端面を通じての端部伝送、ｉｖ）トランスバース伝送、ｖ）モード干渉結合トランスバース伝送、ｖｉ）能動的で実質的にモード屈折率適合したモード干渉結合トランスバース伝送、ｖｉｉ）受動的で実質的にモード屈折率適合したモード干渉結合トランスバース伝送、ｖｉｉｉ）実質的に断熱的なトランスバース伝送、ｉｘ）偏光依存トランスバース伝送、ｘ）波長依存トランスバース伝送、のうちの少なくとも１つにより、光電力伝送を可能とするように適合するとともに相対的に配置されたことを特徴とする請求項１〜６のいずれか１項に記載の装置。
【請求項８】
前記外部伝送光導波管及び前記伝送光導波管は、ｉ）平面光導波管、ｉｉ）低モード屈折率光導波管、ｉｉｉ）高モード屈折率光導波管、ｉｖ）コア及び低屈折率クラッド、ｖ）コア及び金属膜を含むクラッド、ｖｉ）少なくとも１つの多層反射スタックを含む多層光導波構造、ｖｉｉ）シリカベース光導波管、ｖｉｉｉ）ポリマーベース光導波管、ｉｘ）半導体ベース光導波管、ｘ）シリコンベース光導波管、ｘｉ）ＩＩＩ／Ｖ半導体ベース光導波管、ｘｉｉ）シリカベースのコア及び低屈折率シリカベースのクラッド、ｘｉｉｉ）窒化シリコンのコア及びシリカベースのクラッド、ｘｉｖ）シリコンオキシニトリドのコア及びシリカベースのクラッド、ｘｖ）複数のコア及び低屈折率クラッド、ｘｖｉ）量子井戸混合半導体ベース光導波管、ｘｖｉｉ）導波基板上にあって平面導波回路を形成している複数の平面導波管の１つである平面光導波管、ｘｖｉｉｉ）光接合領域を形成している光ファイバのテーパー部を有する光ファイバ、ｘｉｘ）光接合領域の一部からトランスバース方向に非対称に除去されたクラッドを有する光ファイバ、ｘｘ）光接合領域が傾斜した端部となった光ファイバ、のうちの１つ又はそれ以上を含むことを特徴とする請求項１〜７のいずれか１項に記載の装置。
【請求項９】
前記伝送光導波管は、ｉ）他の伝送光導波管とのトランスバース伝送、ｉｉ）他の伝送光導波管との端部伝送、ｉｉｉ）他の伝送光導波管との実質的に空間モード適合した端部伝送、ｉｖ）光ファイバとの端部伝送、ｖ）光ファイバとの実質的に空間モード適合した端部伝送、ｖｉ）光学空間モード拡張、ｖｉｉ）複数の分岐導波管への光電力の分割、の少なくとも１つに適合したことを特徴とする請求項１〜８のいずれか１項に記載の装置。
【請求項１０】
前記光学素子は、ｉ）半導体ベースの光学素子、ｉｉ）ＩＩＩ−Ｖ半導体ベースの光学素子、ｉｉｉ）レーザ、ｉｖ）変調器、ｖ）光検出器、ｖｉ）波長選択光学素子、ｖｉｉ）偏光選択光学素子、のうちの少なくとも１つを備えたことを特徴とする請求項１〜９のいずれか１項に記載の装置。
【請求項１１】
前記外部伝送光導波管及び伝送光導波管の少なくとも１つの少なくとも一部は、前記光学素子の機能の一部を提供するように適合し、このように提供された機能は、ｉ）波長別機能、ｉｉ）光導波格子部、ｉｉｉ）熱光学機能、ｉｖ）偏光別機能、ｖ）光電力監視機能、ｖｉ）光検出、ｖｉｉ）光電力監視、ｖｉｉｉ）空間モード別機能、ｉｘ）熱補償、のうちの少なくとも１つを含みうることを特徴とする請求項１０に記載の装置。
【請求項１２】
前記伝送光導波管及び前記外部伝送光導波管の少なくとも１つは、そこでのトランスバースオフセットした光電力伝送損失を、少なくともトランスバースオフセットの許容誤差について、約０．５ｄＢ未満に維持するように適合し、そのトランスバースオフセットの許容誤差は、前記伝送光導波管及び前記外部伝送光導波管における対応するトランスバース光学モードサイズ特性の約±０．５倍、約±１．０倍、及び約±１．５倍であることを特徴とする請求項１〜１１のいずれか１項に記載の装置。
【請求項１３】
前記伝送光導波管及び前記外部伝送光導波管の少なくとも１つは、そこでのトランスバースオフセットした光電力伝送損失を、少なくともトランスバースオフセットの許容誤差について、公称光電力伝送損失レベルの約±０．５ｄＢ以内に維持するように適合し、そのトランスバースオフセットの許容誤差は、前記伝送光導波管及び前記外部伝送光導波管における対応するトランスバース光学モードサイズ特性の約±０．５倍、約±１．０倍、及び約±１．５倍であることを特徴とする請求項１〜１１のいずれか１項に記載の装置。
【請求項１４】
光学装置を製造する方法であって、
基板上に光学素子を製造するステップと、
前記基板及び前記光学素子の少なくとも１つの上に、光接合領域を含む外部伝送光導波管を製造するステップと、
光接合領域を含む伝送導波管を、前記基板、前記光学素子、及び前記外部伝送光導波管の少なくとも１つと組み合わせるステップとを、備え、
前記光学素子及び前記外部伝送光導波管は、それらの間での光電力の伝送を可能とするように、基板上にて光学的に統合され、
前記伝送光導波管及び外部伝送光導波管の少なくとも１つは、それらの間にてそれぞれの光接合領域における光電力のトランスバース伝送を可能とするように適合し、
前記伝送光導波管及び外部伝送光導波管は、組み合わされると、前記伝送光導波管と前記外部伝送光導波管との間の光電力のトランスバース伝送を可能とするようにそれぞれの光接合領域を配置するように配置されることを特徴とする方法。
【請求項１５】
前記基板及び前記光学素子の少なくとも１つの上に、光接合領域を含む第２の外部伝送光導波管を製造するステップと、
光接合領域を含む第２の伝送導波管を、前記基板、前記光学素子、及び前記第２の外部伝送光導波管の少なくとも１つと組み合わせるステップとを、さらに備え、
前記光学素子及び前記第２の外部伝送光導波管は、光電力の伝送を可能とするように、前記基板上で光学的に統合され、
前記第２の伝送光導波管及び前記第２の外部伝送光導波管の少なくとも１つは、その接合領域にて、それぞれの接合領域における光電力のトランスバース伝送を可能とするように適合し、
前記第２の伝送光導波管及び前記第２の外部伝送光導波管は、組み合わされると、前記第２の伝送光導波管と前記第２の外部伝送光導波管との間の光電力のトランスバース伝送を可能とするようにそれぞれの光接合領域を配置するように配置され、
前記第１及び第２の伝送光導波管は、ｉ）機械的に独立した部材、ｉｉ）単一の機械的部材の要素、ｉｉｉ）共通の伝送導波基板上に形成された平面光導波管、のうちの１つを含むことを特徴とする請求項１４に記載の方法。
【請求項１６】
請求項１４又は１５に記載の方法内に組み入れられる伝送光導波管の製造方法であって、該伝送光導波管は、基板上に統合された外部伝送光導波管及び光学素子と組み合わされるように適合した部材として提供されることを特徴とする方法。
【請求項１７】
請求項１４又は１５に記載の方法に組み入れられる光学素子及び外部伝送導波管の製造方法であって、該光学素子及び外部伝送光導波管は、伝送光導波管と組み合わされるように適合した共通部材として提供されることを特徴とする方法。
【請求項１８】
前記伝送光導波管及び前記外部伝送光導波管の少なくとも１つの光接合領域は、ｉ）モード干渉結合トランスバース伝送、ｉｉ）能動的で実質的にモード屈折率適合したモード干渉結合トランスバース伝送、ｉｉｉ）受動的で実質的にモード屈折率適合したモード干渉結合トランスバース伝送、ｉｖ）実質的に断熱的なトランスバース伝送、ｖ）偏光依存トランスバース伝送、ｖｉ）波長依存トランスバース伝送、のうちの少なくとも１つにより、光電力のトランスバース伝送を可能とするように適合したことを特徴とする請求項１４〜１７のいずれか１項に記載の方法。
【請求項１９】
前記伝送光導波管及び前記外部伝送光導波管の少なくとも１つの前記光接合領域は、光電力の実質的に断熱的なトランスバース伝送を可能とするように適合し、その適合は、ｉ）コア及び低屈折率クラッドであって、コア及びクラッドの少なくとも１つのトランスバース寸法が前記光接合領域の少なくとも一部に沿って軸方向に多様なコア及びクラッド、ｉｉ）コア及び低屈折率クラッドであって、コア及びクラッドの少なくとも１つの屈折率が前記光接合領域の少なくとも一部に沿って軸方向に多様なコア及びクラッド、ｉｉｉ）コア及び低屈折率クラッドであって、コア及びクラッドの少なくとも１つが前記光接合領域の少なくとも一部に沿って傾斜したコア及びクラッド、のうちの少なくとも１つを含むことを特徴とする請求項１８に記載の方法。
【請求項２０】
前記光学素子及び前記外部伝送光導波管の少なくとも１つは、ｉ）端部伝送、ｉｉ）実質的に空間モード適合した端部伝送、ｉｉｉ）エッチングされた素子端面を通じての端部伝送、ｉｖ）トランスバース伝送、ｖ）モード干渉結合トランスバース伝送、ｖｉ）能動的で実質的にモード屈折率適合したモード干渉結合トランスバース伝送、ｖｉｉ）受動的で実質的にモード屈折率適合したモード干渉結合トランスバース伝送、ｖｉｉｉ）実質的に断熱的なトランスバース伝送、ｉｘ）偏光依存トランスバース伝送、ｘ）波長依存トランスバース伝送、のうちの少なくとも１つにより、光電力伝送を可能とするように適合するとともに相対的に配置されたことを特徴とする請求項１４〜１９のいずれか１項に記載の方法。
【請求項２１】
前記外部伝送光導波管及び前記伝送光導波管は、ｉ）平面光導波管、ｉｉ）低モード屈折率光導波管、ｉｉｉ）高モード屈折率光導波管、ｉｖ）コア及び低屈折率クラッド、ｖ）コア及び金属膜を含むクラッド、ｖｉ）少なくとも１つの多層反射スタックを含む多層光導波構造、ｖｉｉ）シリカベース光導波管、ｖｉｉｉ）ポリマーベース光導波管、ｉｘ）半導体ベース光導波管、ｘ）シリコンベース光導波管、ｘｉ）ＩＩＩ／Ｖ半導体ベース光導波管、ｘｉｉ）シリカベースのコア及び低屈折率シリカベースのクラッド、ｘｉｉｉ）窒化シリコンのコア及びシリカベースのクラッド、ｘｉｖ）シリコンオキシニトリドのコア及びシリカベースのクラッド、ｘｖ）複数のコア及び低屈折率クラッド、ｘｖｉ）量子井戸混合半導体ベース光導波管、ｘｖｉｉ）導波基板上にあって平面導波回路を形成している複数の平面導波管の１つである平面光導波管、ｘｖｉｉｉ）光接合領域を形成している光ファイバのテーパー部を有する光ファイバ、ｘｉｘ）光接合領域の一部からトランスバース方向に非対称に除去されたクラッドを有する光ファイバ、ｘｘ）光接合領域が傾斜した端部となった光ファイバ、のうちの１つ又はそれ以上を含むことを特徴とする請求項１４〜２０のいずれか１項に記載の方法。
【請求項２２】
前記伝送光導波管は、ｉ）他の伝送光導波管とのトランスバース伝送、ｉｉ）他の伝送光導波管との端部伝送、ｉｉｉ）他の伝送光導波管との実質的に空間モード適合した端部伝送、ｉｖ）光ファイバとの端部伝送、ｖ）光ファイバとの実質的に空間モード適合した端部伝送、ｖｉ）光学空間モード拡張、ｖｉｉ）複数の分岐導波管への光電力の分割、の少なくとも１つに適合したことを特徴とする請求項１４〜２１のいずれか１項に記載の方法。
【請求項２３】
前記光学素子は、ｉ）半導体ベースの光学素子、ｉｉ）ＩＩＩ−Ｖ半導体ベースの光学素子、ｉｉｉ）レーザ、ｉｖ）変調器、ｖ）光検出器、ｖｉ）波長選択光学素子、ｖｉｉ）偏光選択光学素子、のうちの少なくとも１つを備えたことを特徴とする請求項１４〜２２のいずれか１項に記載の方法。
【請求項２４】
前記外部伝送光導波管及び伝送光導波管の少なくとも１つの少なくとも一部は、前記光学素子の機能の一部を提供するように適合し、このように提供された機能は、ｉ）波長別機能、ｉｉ）光導波格子部、ｉｉｉ）熱光学機能、ｉｖ）偏光別機能、ｖ）光電力監視機能、ｖｉ）光検出、ｖｉｉ）光電力監視、ｖｉｉｉ）空間モード別機能、ｉｘ）熱補償、のうちの少なくとも１つを含みうることを特徴とする請求項２３に記載の方法。
【請求項２５】
前記伝送光導波管及び前記外部伝送光導波管の少なくとも１つは、そこでのトランスバースオフセットした光電力伝送損失を、少なくともトランスバースオフセットの許容誤差について、約０．５ｄＢ未満に維持するように適合し、そのトランスバースオフセットの許容誤差は、前記伝送光導波管及び前記外部伝送光導波管における対応するトランスバース光学モードサイズ特性の約±０．５倍、約±１．０倍、及び約±１．５倍であることを特徴とする請求項１４〜２４のいずれか１項に記載の方法。
【請求項２６】
前記伝送光導波管及び前記外部伝送光導波管の少なくとも１つは、そこでのトランスバースオフセットした光電力伝送損失を、少なくともトランスバースオフセットの許容誤差について、公称光電力伝送損失レベルの約±０．５ｄＢ以内に維持するように適合し、そのトランスバースオフセットの許容誤差は、前記伝送光導波管及び前記外部伝送光導波管における対応するトランスバース光学モードサイズ特性の約±０．５倍、約±１．０倍、及び約±１．５倍であることを特徴とする請求項１４〜２４のいずれか１項に記載の方法。
【手続補正２】
【補正対象書類名】明細書
【補正対象項目名】００３９
【補正方法】変更
【補正の内容】
【００３９】
本発明の第１の形態によれば、基板上の光学素子と、光接合領域を含む外部伝送光導波管と、光接合領域を含む伝送光導波管とを備えた光学装置において、前記光学素子及び前記外部伝送光導波管は、それらの間での光電力の伝送を可能とするように、基板上にて光学的に統合され、前記伝送光導波管及び外部伝送光導波管の少なくとも１つは、それらの間にてそれぞれの光接合領域における光電力のトランスバース伝送を可能とするように適合し、前記伝送光導波管は、光電力のトランスバース伝送を可能とするようにそれぞれの光接合領域を配置するように、前記基板、前記光学素子、前記外部伝送光導波管と組み合わされていることを特徴とする光学装置が提供される。
本発明の第２の形態によれば、光学装置を製造する方法であって、基板上に光学素子を製造するステップと、前記基板及び前記光学素子の少なくとも１つの上に、光接合領域を含む外部伝送光導波管を製造するステップと、光接合領域を含む伝送導波管を、前記基板、前記光学素子、及び前記外部伝送光導波管の少なくとも１つと組み合わせるステップとを、備え、前記光学素子及び前記外部伝送光導波管は、それらの間での光電力の伝送を可能とするように、基板上にて光学的に統合され、前記伝送光導波管及び外部伝送光導波管の少なくとも１つは、それらの間にてそれぞれの光接合領域における光電力のトランスバース伝送を可能とするように適合し、前記伝送光導波管及び外部伝送光導波管は、組み合わされると、前記伝送光導波管と前記外部伝送光導波管との間の光電力のトランスバース伝送を可能とするようにそれぞれの光接合領域を配置するように配置されることを特徴とする方法が提供される。
本発明のいくつかの側面は、従来技術における上述の１つ以上の欠点が克服し、及び／又は、光電力伝送の技術の状態を進歩させ、さらに、以下の目的の１つ以上に合致してもよい。
光導波管間の実質的に断熱的な光電力のトランスバース伝送のための装置及び方法を提供すること。
光導波管間の実質的に断熱的な光電力のトランスバース伝送に適合した、機械的に独立した光導波管を提供すること。
光電力伝送について、製造及び／又は位置決めの許容誤差が緩和された、実質的に断熱的な光電力のトランスバース伝送に適合した導波管を提供すること。
【手続補正３】
【補正対象書類名】明細書
【補正対象項目名】０１１７
【補正方法】変更
【補正の内容】
【０１１７】
図３２に、いずれも基板３２０２上に外部伝送導波管３２３０／３２３１／３２３２／３２３３とともに製造された、共振子３２１０及び導波管３２１７／３２１８を含んだ、共振光学フィルタを示す。外部伝送導波管に表面接合した対応する伝送導波管３２２０／３２２１／３２２２／３２２３が図示されており、平面光導波管として示されている（明瞭にするために図３２では導波基板を省略）。他の伝送導波管の型（光ファイバのテーパー部等）が、等価に用いられてもよく、側面接合が等価に用いられてもよい。各伝送導波管と、対応する外部伝送導波管との間の、光電力のトランスバース伝送は、断熱的、能動モード屈折率整合モード干渉結合、又は受動モード屈折率整合モード干渉結合であってもよい。トランスバース伝送の性質は、伝送導波管／外部伝送導波管の対の双方について、同一である必要はない。電極又は接点３１１１／３１１２（導波管／共振結合）、３１１３／３１１４（導波管／共振結合）、及び３１１５／３１１６（共振周波数）に対して与えられる制御信号は、共振フィルタを通る光伝送を制御する。なお、共振フィルタは、任意の適切な型の電子活性材料を含んだ任意の適切な型の導波管（多層導波管等）を用いて構築されてもよい。電極や電子活性材料の代わりに、共振フィルタに、非線形光学材料が用いられて、そこを通る伝送を制御するのに光制御信号が用いられてもよい。図３２の素子は、伝送導波管３２１７／３２１８間の波長における特定の帯域のみを切り換えるために、用いられてもよい。
【手続補正４】
【補正対象書類名】明細書
【補正対象項目名】０１３３
【補正方法】変更
【補正の内容】
【０１３３】
モニタフォトダイオードは、平面導波基板４２２２上に組み込まれてもよく、望ましくは、フォトダイオード基板４２４２上に独立した部材として設けられるとよい（図４２Ｂでは、平面導波基板４２２２上にフリップチップ搭載されて図示）。導波管４２４０の第１の端部は、望ましくは、（図４２Ａ／４２Ｂに示すように）導波管４２２０からの光電力のトランスバース伝送に適合しているとよく、あるいはその代わりに、導波管４２２０からの光電力の伝送のための他の任意の適切な方法で、適合していてもよい。導波管４２４０の第２の端部は、光電力を基板４２２２から上方へと向ける回転ミラーとして機能するように、適合していることが望ましい。このことは、基板４２２２加工時に、導波管４２４０の傾斜した第２の端面を提供することにより、実現してもよい。その代わりに、導波管４２４０からモニタフォトダイオードへと光電力を伝送するために、任意の適切な手段が用いられてもよい。例えば、導波管４２４０の第２の端部には、光学散乱体が、設けられてもよく、散乱した光電力の一部がフォトダイオードにより向けられる。他の実施例では、フォトダイオードには、導波管４２４０からの光電力のトランスバース伝送（断熱又はモード干渉結合）及び光電力のフォトダイオードへの伝送に適合した、本発明による外部伝送光導波管が、設けられてもよい。他の手段が等価に用いられてもよい。
【手続補正５】
【補正対象書類名】明細書
【補正対象項目名】０１３５
【補正方法】変更
【補正の内容】
【０１３５】
図４４Ａ及び図４４Ｂでは、平面導波基板４４２２が、ダイオードレーザの外部伝送導波管との光電力の断熱的なトランスバース伝送のために第１の端部が適合した平面伝送導波管４４２０とともに、示されている。ダイオードレーザ及び外部伝送導波管は、レーザ基板４４０２（図４４Ｂでは、基板４４２２上にフリップチップ搭載されて図示）上で光学的に統合されている。基板４４２２におけるｖ字溝４４５０は、導波管４４２０との端部伝送のために光ファイバ４４９０（図４４Ｂに図示）を位置決めする役割を果たす。導波管４４２０は、モード拡張、及びボールレンズ４４９４（基板４４２２の凹部内に収容されて図示）と組み合わされたファイバ４４９０との空間モード整合のために、第２の端部にて適合されてもよい。基板４４２２は、ボールレンズ４４９４と光ファイバ４４９０との間に挿入された光学アイソレータ４４９６を収容するための追加の凹部を、有してもよい。基板４４２２には、導波管４４２０からのダイオードレーザの光出力電力の一部分の伝送のために、第１の端部にて位置決めされて適合した補助導波管４４４０が、設けられてもよい。導波管４４４０の第２の端部は、光電力を、フリップチップ搭載された基板４４４４上に設けられたモニタフォトダイオードへと伝達するために、適合していてもよい。接点／電極４４７０／４４７２は、それぞれダイオードレーザ及びフォトダイオードへの電子的アクセスのために、設けられている。位置決め／支持部材４４８０／４４８２は、それぞれフリップチップ搭載されたダイオードレーザ及びフォトダイオードの位置決め及び支持のために、設けられている。